(57)【要約】本開示の例示的実施形態は、子宮内膜組織を識別するための装置および方法を含む。子宮内膜組織を検出する方法は、組織を励起光を用いて照明することと、組織を前記励起光を用いて照明することに応答して、内因性蛍光放出を前記組織の一部から検出することと、内因性蛍光放出を生産する組織を子宮内膜組織として識別することとを含む。装置は、３７０〜５１０ナノメートル（ｎｍ）または７４０〜１，０２０ｎｍの波長を有する励起光を放出するように構成された励起光源であって、励起光源は、組織の一部を照明するように構成されている、励起光源と、５５０〜７５０ナノメートル（ｎｍ）の波長を有する内因性蛍光放出光を検出するように構成された撮像デバイスとを備える。
2020521531.tif 000002
【特許請求の範囲】
【請求項１】
子宮内膜組織を検出する方法であって、前記方法は、
組織を励起光を用いて照明することと、
前記組織を前記励起光を用いて照明することに応答して、内因性蛍光放出を前記組織の一部から検出することと、
前記内因性蛍光放出を生産する組織を子宮内膜組織として識別することと
を含む、方法。
【請求項２】
前記励起光は、発光ダイオード（ＬＥＤ）から放出される、請求項１に記載の方法。
【請求項３】
前記励起光は、４５０ｎｍの波長を有する、請求項２に記載の方法。
【請求項４】
前記内因性蛍光放出は、カメラによって検出される、請求項１に記載の方法。
【請求項５】
前記内因性蛍光放出は、前記カメラによって検出される前に、フィルタを通して通過する、請求項４に記載の方法。
【請求項６】
前記フィルタは、屈折率分布型（ＧＲＩＮ）レンズである、請求項５に記載の方法。
【請求項７】
前記ＧＲＩＮレンズは、５５０ｎｍを下回る光をフィルタ処理するように構成されている、請求項６に記載の方法。
【請求項８】
前記カメラは、相補的金属酸化物半導体（ＣＭＯＳ）センサを備える、請求項４に記載の方法。
【請求項９】
前記励起光は、３７０〜５１０ナノメートル（ｎｍ）の波長を有する、請求項１に記載の方法。
【請求項１０】
前記方法は、前記組織の単一光子撮像を組み込む、請求項９に記載の方法。
【請求項１１】
前記励起光は、７４０〜１，０２０ナノメートル（ｎｍ）の波長を有する、請求項９に記載の方法。
【請求項１２】
前記方法は、前記組織の２光子撮像を組み込む、請求項１１に記載の方法。
【請求項１３】
前記内因性蛍光放出は、５５０〜７５０ナノメートル（ｎｍ）の波長を有する、請求項１に記載の方法。
【請求項１４】
前記内因性蛍光放出は、ヘモジデリンから放出される、請求項１に記載の方法。
【請求項１５】
前記励起光は、レーザから放出される、請求項１に記載の方法。
【請求項１６】
前記励起光は、多光子撮像装置において使用するために構成される光源から放出される、請求項１に記載の方法。
【請求項１７】
前記励起光は、２光子撮像装置において使用するために構成される光源から放出される、請求項１に記載の方法。
【請求項１８】
子宮内膜腺によって生成された空隙を識別することをさらに含む、請求項１に記載の方法。
【請求項１９】
前記空隙は、光コヒーレンス断層撮影によって識別される、請求項１８に記載の方法。
【請求項２０】
装置であって、
３７０〜５１０ナノメートル（ｎｍ）または７４０〜１，０２０ｎｍの波長を有する励起光を放出するように構成された励起光源であって、前記励起光源は、組織の一部を照明するように構成されている、励起光源と、
５５０〜７５０ナノメートル（ｎｍ）の波長を有する内因性蛍光放出光を検出するように構成された撮像デバイスと
を備える、装置。
【請求項２１】
前記励起光源は、発光ダイオード（ＬＥＤ）である、請求項２０に記載の装置。
【請求項２２】
前記ＬＥＤは、４５０ｎｍの波長を伴う励起光を放出するように構成されている、請求項２に記載の装置。
【請求項２３】
前記撮像デバイスは、カメラである、請求項２０に記載の装置。
【請求項２４】
前記内因性蛍光放出が前記カメラによって検出される前に、前記内因性蛍光放出をフィルタ処理するように構成されている、フィルタをさらに備える、請求項２３に記載の装置。
【請求項２５】
前記フィルタは、屈折率分布型（ＧＲＩＮ）レンズである、請求項２４に記載の装置。
【請求項２６】
前記ＧＲＩＮレンズは、５５０ｎｍを下回る光をフィルタ処理するように構成されている、請求項２５に記載の装置。
【請求項２７】
前記カメラは、相補的金属酸化物半導体（ＣＭＯＳ）センサを備える、請求項２３に記載の装置。
【請求項２８】
前記内因性蛍光放出光を分析し、前記内因性蛍光放出光を子宮内膜組織のインジケータとして分類するように構成されている、コンピュータプロセッサをさらに備える、請求項２０に記載の装置。
【請求項２９】
光コヒーレンス断層撮影（ＯＣＴ）撮像デバイスをさらに備える、請求項２０に記載の装置。
【請求項３０】
前記ＯＣＴ撮像デバイスは、前記組織の一部内の空隙を検出するように構成されている、請求項２９に記載の装置。
【請求項３１】
前記組織内の空隙を分析し、前記空隙を子宮内膜腺のインジケータとして分類するように構成されている、コンピュータプロセッサをさらに備える、請求項３０に記載の装置。
【請求項３２】
前記励起光源は、レーザである、請求項２０に記載の装置。
【請求項３３】
前記励起光源は、多光子撮像装置内の構成要素である、請求項２０に記載の装置。
【請求項３４】
前記励起光源は、２光子撮像装置内の構成要素である、請求項２０に記載の装置。
【請求項３５】
前記励起光源および前記撮像デバイスは、フォトニック結晶ファイバ内に含有されている、請求項２０に記載の装置。
【発明の詳細な説明】
【背景技術】
【０００１】
（関連出願への相互参照）
本出願は、２０１７年５月１６日に出願された米国仮特許出願第６２／５０６，９１０号に対して優先権の利益を主張する。上記文献の内容は、ここで参照することによって援用される。
【０００２】
（背景情報）
女性の腹部における子宮内膜組織は、典型的には、識別および除去することが困難である。本難点は、有意な問題を呈し得、全ての女性のうちの１８％が、子宮内膜症によって影響を受けている。一般に、罹患組織の除去の増加に伴って、疼痛低減の潜在性が高くなり、受胎率が改良される。複数回の外科手術が、典型的には、不完全な識別に起因して必要とされ、重要な構造、例えば、卵巣上のインプラントは、除去されない。子宮内膜症の診断は、典型的には、マーカである、ストロマ、ヘモジデリン、および腺の組織学的確認を要求し、子宮内膜症の確認のためのサンプルは、腹腔鏡下外科手術および生検を通して取得されることができる。
【０００３】
コンピュータ断層撮影（ＣＴ）、磁気共鳴画像診断（ＭＲＩ）、または超音波は、典型的には、病変を識別することができない。代わりに、病変は、外科手術生検を用いて確認され、除去された組織のうち、８０パーセントのみが、典型的には、罹患している。既存の子宮内膜症識別技法は、したがって、多くの欠点を含み、改良された装置および方法が、所望される。
【０００４】
故に、改良された撮像装置および方法は、子宮内膜組織の検出を補助するであろう。
【発明の概要】
【課題を解決するための手段】
【０００５】
（要約）
本開示の例示的実施形態は、子宮内膜症の光学性質を検出し、外科手術除去を改良するための装置および方法を含む。本明細書に開示される例示的装置および方法は、励起光を受けるときのヘモジデリンの内因性蛍光を介して、子宮内膜組織を識別することができる。特定の実施形態では、２光子発光（ＴＰＬ）装置を用いた撮像が、子宮内膜組織と関連付けられたヘモジデリンの内因性蛍光を明らかにするために使用されることができる。
【０００６】
ある実施形態はまた、撮像技法を利用して、子宮内膜組織と関連付けられた腺を識別してもよい。腺は、腺が生成し得る空隙に起因して、子宮内膜症のためのマーカおよび光コヒーレンス断層撮影（ＯＣＴ）のための撮像標的のうちの１つである。
【０００７】
本開示の例示的実施形態は、子宮内膜組織を検出するための装置および方法を含む。特定の実施形態は、子宮内膜組織を検出する方法を含み、本方法は、組織を励起光を用いて照明することと、組織を励起光を用いて照明することに応答して、内因性蛍光放出を組織の一部から検出することと、内因性蛍光放出を生産する組織を子宮内膜組織として識別することとを含む。
【０００８】
特定の実施形態では、励起光は、発光ダイオード（ＬＥＤ）から放出される。具体的実施形態では、励起光は、４５０ｎｍの波長を有する。ある実施形態では、内因性蛍光放出は、カメラによって検出され、特定の実施形態では、内因性蛍光放出は、カメラによって検出される前に、フィルタを通して通過する。いくつかの実施形態では、フィルタは、屈折率分布型（ＧＲＩＮ）レンズであり、具体的実施形態では、ＧＲＩＮレンズは、５５０ｎｍを下回る光をフィルタ処理するように構成される。特定の実施形態では、カメラは、相補的金属酸化物半導体（ＣＭＯＳ）センサを備える。
【０００９】
特定の実施形態では、励起光は、単一光子発光のための３７０〜５１０ナノメートル（ｎｍ）の波長を有する。２光子発光を使用する実施形態に関して、励起光は、７４０〜１０２０ナノメートル（ｎｍ）の波長を有する。いくつかの実施形態では、内因性蛍光放出は、５５０〜７５０ナノメートル（ｎｍ）の波長を有する。具体的実施形態では、内因性蛍光放出は、ヘモジデリンから放出される。
【００１０】
ある実施形態では、励起光は、レーザから放出される。いくつかの実施形態では、励起光は、多光子撮像装置において使用するために構成される光源から放出され、具体的実施形態では、励起光は、２光子撮像装置において使用するために構成される光源から放出される。
【００１１】
本方法のある実施形態はさらに、子宮内膜腺によって生成された空隙を識別することを含む。特定の実施形態では、空隙は、光コヒーレンス断層撮影によって識別される。
【００１２】
例示的実施形態はまた、４５０〜４９０ナノメートル（ｎｍ）の波長を有する励起光を放出するように構成される、励起光源であって、励起光源は、組織の一部を照明するように構成される、励起光源と、５９０〜６５０ナノメートル（ｎｍ）の波長を有する内因性蛍光放出光を検出するように構成される、撮像デバイスとを備える、装置を含む。
【００１３】
ある実施形態では、励起光源は、発光ダイオード（ＬＥＤ）であり、特定の実施形態では、ＬＥＤは、４５０ｎｍの波長を伴う励起光を放出するように構成される。具体的実施形態では、撮像デバイスは、カメラである。ある実施形態はさらに、内因性蛍光放出がカメラによって検出される前に、内因性蛍光放出をフィルタ処理するように構成される、フィルタを備える。いくつかの実施形態では、フィルタは、屈折率分布型（ＧＲＩＮ）レンズであり、具体的実施形態では、ＧＲＩＮレンズは、５５０ｎｍを下回る光をフィルタ処理するように構成される。特定の実施形態では、カメラは、相補的金属酸化物半導体（ＣＭＯＳ）センサを備える。
【００１４】
ある実施形態はさらに、内因性蛍光放出光を分析し、内因性蛍光放出光を子宮内膜組織のインジケータとして分類するように構成される、コンピュータプロセッサを備える。特定の実施形態はさらに、光コヒーレンス断層撮影（ＯＣＴ）撮像デバイスを備え、いくつかの実施形態では、ＯＣＴ撮像デバイスは、組織の一部内の空隙を検出するように構成される。
【００１５】
具体的実施形態はさらに、組織内の空隙を分析し、空隙を子宮内膜腺のインジケータとして分類するように構成される、コンピュータプロセッサを備える。ある実施形態では、励起光源は、発光ダイオード（ＬＥＤ）であり、特定の実施形態では、励起光源は、レーザである。いくつかの実施形態では、励起光源は、多光子撮像装置内の構成要素であり、具体的実施形態では、励起光源は、２光子撮像装置内の構成要素である。ある実施形態では、励起光源および撮像デバイスは、フォトニック結晶ファイバ内に含有される。
【００１６】
以下では、用語「結合される」は、「接続される」と定義されるが、必ずしも、「直接」ではなく、必ずしも、「機械的に」ではない。
【００１７】
用語「光コヒーレンス断層撮影光源」または「ＯＣＴ光源」は、光コヒーレンス断層撮影（ＯＣＴ）撮像装置において使用するために構成される光源として定義される。
【００１８】
用語「多光子光源」または「ＭＰＬ光源」は、多光子断層撮影（ＯＣＴ）撮像装置において使用するために構成される光源として定義される。
【００１９】
用語「２光子光源」または「ＴＰＬ光源」は、２光子（ＴＰＬ）撮像装置において使用するために構成される光源として定義される。
【００２０】
単語「ａ」または「ａｎ」の使用は、請求項および／または明細書において、用語「〜を備える」と併用されるとき、「１つ」を意味し得るが、また、「１つ以上」または「少なくとも１つ」の意味と一貫する。用語「約」は、一般に、述べられた値の±５％を意味する。請求項における用語「または」の使用は、代替のみを指すことが明示的に示されない限り、または代替が相互に排他的ではない限り、「および／または」を意味するために使用されるが、本開示は、代替のみおよび「および／または」を指す定義を支持する。
【００２１】
用語「〜を備える（ｃｏｍｐｒｉｓｅ）」（ならびに「ｃｏｍｐｒｉｓｅｓ」および「ｃｏｍｐｒｉｓｉｎｇ」等のｃｏｍｐｒｉｓｅの任意の形態）、「〜を有する（ｈａｖｅ）」（ならびに「ｈａｓ」および「ｈａｖｉｎｇ」等のｈａｖｅの任意の形態）、「〜を含む（ｉｎｃｌｕｄｅ）」（ならびに「ｉｎｃｌｕｄｅｓ」および「ｉｎｃｌｕｄｉｎｇ」等のｉｎｃｌｕｄｅの任意の形態）、および「〜を含有する（ｃｏｎｔａｉｎ）」（ならびに「ｃｏｎｔａｉｎｓ」および「ｃｏｎｔａｉｎｉｎｇ」等のｃｏｎｔａｉｎの任意の形態）は、非制限的連結動詞である。その結果、１つ以上のステップまたは要素を「備える」、「有する」、「含む」、または「含有する」、方法またはデバイスは、それらの１つ以上のステップまたは要素を保有するが、それらの１つ以上の要素のみを保有することに限定されない。同様に、１つ以上の特徴を「備える」、「有する」、「含む」、または「含有する」、方法のステップまたはデバイスの要素は、それらの１つ以上の特徴を保有するが、それらの１つ以上の特徴のみを保有することに限定されない。さらに、ある方法において構成される、デバイスまたは構造は、少なくともその方法において構成されるが、また、列挙されない方法において構成されてもよい。
【００２２】
本発明の他の目的、特徴、および利点は、以下の発明を実施するための形態から明白となるであろう。しかしながら、発明を実施するための形態および具体的実施例は、本発明の具体的実施形態を示すが、本発明の精神および範囲内の種々の変更および修正が、本発明を実施するための形態から当業者に明白となるであろうため、例証としてのみ与えられることを理解されたい。
【００２３】
特許または出願は、カラーで実行される少なくとも１つの図面を含有する。カラー図面を伴う本特許または特許出願公報のコピーは、要求および必要な料金の支払に応じて、特許庁によって提供されるであろう。
【００２４】
以下の図面は、本明細書の一部を形成し、本開示のある側面をさらに実証するために含まれる。本発明は、本明細書に提示される具体的実施形態の詳細な説明と組み合わせて、これらの図面のうちの１つを参照することによってより深く理解され得る。
【図面の簡単な説明】
【００２５】
【図１】図１は、本開示の例示的実施形態による、装置の端面図の概略を示す。
【図２】図２は、図１のデバイスの側面図を示す。
【図３】図３は、本開示の例示的実施形態による装置を用いて取得される、組織画像を示す。
【図４】図４は、図３に示される画像内の組織のヘマトキシリンおよびエオジン（Ｈ＆Ｅ）染色を示す。
【図５】図５は、本開示の例示的実施形態によるデバイスを用いて取得される、組織画像を示す。
【図６】図６は、本開示の例示的実施形態によるデバイスを用いて取得される、組織画像を示す。
【図７】図７は、本開示の例示的実施形態による、装置の概略を示す。
【図８】図８−１０は、本開示の例示的実施形態による装置を用いて取得される、組織画像の比較を示す。
【図９】図８−１０は、本開示の例示的実施形態による装置を用いて取得される、組織画像の比較を示す。
【図１０】図８−１０は、本開示の例示的実施形態による装置を用いて取得される、組織画像の比較を示す。
【発明を実施するための形態】
【００２６】
（例示的実施形態の詳細な説明）
ここで図１および２を参照すると、装置１００は、励起光１４０を放出し、組織１４５の一部を照明するように構成される、励起光源１１０を備える。加えて、装置１００は、内因性蛍光放出光を検出するように構成される、撮像デバイス１２０を備える。ある実施形態では、励起光源１１０および撮像デバイス１２０は、フォトニック結晶ファイバ（ＰＣＦ）１３０内に含有されてもよい。ある実施形態では、励起光源１１０は、２光子発光（ＴＰＬ）撮像装置において使用するために構成される、光源であってもよい。特定の実施形態では、撮像装置１００の側面は、米国特許第９，４８２，５１３号（その全内容は、参照することによって本明細書に組み込まれる）に開示される装置の要素を含んでもよい。
【００２７】
使用の間、装置１００は、組織を励起光を用いて照明し、子宮内膜組織と関連付けられた内因性蛍光放出光を検出するように動作させられることができる。例えば、ある実施形態では、装置１００は、内因性蛍光放出光を分析し、内因性蛍光放出光を子宮内膜組織のインジケータとして分類するように構成される、コンピュータプロセッサ１５０を備えてもよい。例示的実施形態では、コンピュータプロセッサ１５０は、非一過性コンピュータ可読媒体内に含有されるソフトウェアを介して、内因性蛍光放出光の分析および分類を実行するように構成されることができる。
【００２８】
特定の実施形態では、光源１１０は、単一光子発光のために、３７０〜５１０ｎｍまたはそれを上回る、好ましくは、４５０〜４９０ｎｍの波長を有する、励起光１４０を放出するように構成されてもよい。２光子発光を使用する実施形態に関して、励起光は、７４０〜１０２０ナノメートル（ｎｍ）またはそれを上回る、好ましくは、９００〜９８０ｎｍの波長を有する。加えて、撮像デバイス１２０は、５５０〜７５０ｎｍまたはそれを上回る、好ましくは、５９０〜６５０ｎｍの波長を有する、放出光を検出するように構成されてもよい。下記にさらに開示されるように、装置１００は、組織の一部を照明し、照明された組織の一部内の子宮内膜組織を識別するために使用されることができる。例示的実施形態では、装置１００は、除去のための子宮内膜組織を識別するためにインビボで使用されることができる。
【００２９】
ここで図３を参照すると、本明細書に開示されるような撮像装置を用いて取得される画像は、子宮内膜組織のインジケータである、ヘモジデリン２００からの赤色蛍光を図示する。図４は、図３に位置するヘモジデリン２００のヘマトキシリンおよびエオジン（Ｈ＆Ｅ）染色を図示する。図に示されるように、図４における染色インジケーションは、図３に示される赤色蛍光と相関する。
【００３０】
図５は、約３ミリメートル×３ミリメートルの領域の２光子発光（ＴＰＬ）画像３００を図示する。図５の左下部分における拡大図は、脂肪球３２０を含有する、約４７０μｍ×４７０μｍの画像３００の領域のＴＰＬ画像を図示する。図５の右下部分は、ヘモジデリンを伴う貪食細胞３１０を示す、約４７０μｍ×４７０μｍの広視野蛍光図を図示する。
【００３１】
図６は、２光子発光（ＴＰＬ）画像４００および広視野蛍光画像４１０を図示する。図に示されるように、ヘモジデリンは、画像４００内では、赤色に、画像４１０では、明るい白色光として可視である。
【００３２】
図７は、本開示の例示的実施形態の概略を図示する。本実施形態は、概して、前述の実施形態に匹敵する原理下で動作する。しかしながら、図７における実施形態は、低減された製造コストを有する構成要素を用いて構築されることができる。例えば、装置５００は、相補的金属酸化物半導体（ＣＭＯＳ）または電荷結合素子（ＣＣＤ）センサを利用する比較的に安価なカメラモジュールである、撮像デバイス５２０を備える。具体的実施形態では、撮像デバイス５２０は、Ｒａｓｐｂｅｒｒｙ  Ｐｉカメラモジュールであってもよい。加えて、装置５００は、撮像デバイス５２０によって検出される光をフィルタ処理するように構成される、フィルタ５５０を備えてもよい。ある実施形態では、フィルタ５５０は、特定の波長を下回る光をフィルタ処理するように構成される、屈折率分布型（ＧＲＩＮ）レンズとして構成されてもよい。１つの具体的実施形態では、フィルタ５５０は、６５０ｎｍを下回る光をフィルタ処理するように構成される、ＧＲＩＮレンズである。
【００３３】
加えて、装置５００は、励起光を放出するように構成される、光源５１０を備える。特定の実施形態では、光源５１０は、３７０ｎｍ〜５１０ｎｍの範囲内の光を放出するように構成される、ＬＥＤ光源である。示される具体的実施形態では、光源５１０は、約４５０ｎｍの波長における光を放出するように構成される、ＬＥＤ光源である。示される実施形態では、装置５００はまた、電気コネクタ５６０を介して、電力を光源５１０および撮像デバイス５２０に提供するように構成される、電力供給源５４０を備える。
【００３４】
動作の間、装置５００は、前述の実施形態に類似する様式において動作させられることができる。具体的には、光源５１０は、子宮内膜組織と関連付けられたヘモジデリンの内因性蛍光を明らかにするように選択される周波数において励起光（例えば、４５０ｎｍ）を放出するために使用されることができる。光源５１０から放出される光が、ヘモジデリンを含む、組織に指向されると、ヘモジデリンを含有する組織の部分は、蛍光を発するであろう。具体的には、ヘモジデリンは、フィルタ５５０を通して通過し、撮像デバイス５２０によって検出されるであろう、ある周波数における蛍光（例えば、５５０ｎｍ未満）を発するであろう。
【００３５】
図８−１０は、図７に示される実施形態を用いて取得される撮像データと２光子顕微鏡のものの比較を図示する。画像は、下記に提供される作業実施例説明により完全に説明されるように、寒天ゲル立方体内に調製されたサンプルから取得された。図８および９は、子宮内膜組織の陽性インジケーションを伴う、サンプルを図示するが、図１０は、子宮内膜組織のインジケーションを含まない、サンプルを図示する。
【００３６】
図に示されるように、図７に示される実施形態は、２光子顕微鏡のものと良好に相関する、撮像データを生産することが可能であった。図のそれぞれでは、上の画像は、図７の実施形態を用いて取得された画像であり、下の画像は、２光子顕微鏡を用いて取得された画像である。図７の実施形態を用いて取得された上の画像では、画像の赤色部分は、子宮内膜組織と関連付けられたヘモジデリンを示す。２光子顕微鏡を用いて取得された下の画像、子宮内膜組織の赤色インジケーションは、青色（結合組織を示す）でオーバーレイされ、青色オーバーレイに伴って桃色から赤色に変動する、子宮内膜インジケーションをもたらす。図８および９に示されるように、上の画像におけるインジケーションは、下の画像におけるインジケーションと良好に相関する。これは、陽性子宮内膜インジケーションが図７に示される実施形態を用いて正常に識別されたことを実証する。
【００３７】
図１０は、同様に、図７の実施形態および子宮内膜組織を含有しないサンプル内の２光子顕微鏡実施形態の両方に関する陽性インジケーションの欠如を実証する。これは、図７の実施形態が偽陽性を生産しなかったことを実証する。
【００３８】
本明細書に開示される装置（例えば、図３、５、６、および８−１０に図示されるものを含む）によって取得された画像は、子宮内膜組織の検出を補助するために使用されることができる。開示される装置は、したがって、ユーザが、子宮内膜組織を識別し、それを健康なもの（例えば、非子宮内膜組織）から区別することを可能にするために採用されることができる。これは、開示される装置のユーザが、子宮内膜組織を除去する一方、健康な組織の除去を最小限にすることによって、患者外傷を最小限にすることを可能にすることができる。これはまた、患者が外科手術手技を受ける時間量を低減させることができる。故に、本明細書に開示される装置および方法は、子宮内膜組織の識別に関して、既存の技法に優る実質的利点を提供する。
【００３９】
本明細書で開示および請求されるデバイス、装置、および／または方法は全て、本開示に照らして、過度の実験を伴わずに、作製および実行されることができる。本発明のデバイス、装置、および方法は、特定の実施形態の観点から説明されるが、変形例が、本発明の概念、精神、および範囲から逸脱することなく、本明細書に説明される方法のステップまたはステップのシーケンスにおいて、デバイス、装置、および／または方法に適用されてもよいことが、当業者に明白となるであろう。当業者に明白となる全てのそのような類似代用および修正は、添付の請求項によって定義されるような本発明の精神、範囲、および概念内にあるとと見なされる。
【００４０】
（作業実施例）
以下の実施例は、本開示の好ましい実施形態を実証するために含まれる。当業者によって、以下に続く実施例に開示される技法は、本開示の実践において良好に機能することが本発明者によって発見された技法を表し、したがって、その実践のための好ましい態様を構成すると見なされ得ることが理解されるはずである。しかしながら、当業者は、本開示に照らして、多くの変更が、開示される具体的実施形態において行われることができ、依然として、本開示の精神および範囲から逸脱することなく、同様または類似結果を取得することを理解するはずである
【００４１】
研究方法は、いくつかの撮像ステップを通して、子宮内膜組織と組織学的実状を共位置合わせするように実装された。第１のステップは、それらを寒天ゲル立方体内に埋め込み、位置を安定化させ、組織変形および脱水を防止するためのものであった。本寒天は、撮像から組織学まで組織の周囲に留まり、３次元共位置合わせが、組織学およびＯＢ／ＧＹＮ病理医によって検証された子宮内膜症内のＯＣＴおよびＴＰＬ標的の一意の光学性質を識別することを補助することを可能にする。
【００４２】
２３名の患者が、同意し、１４名が、外科医によって、手術時に、子宮内膜症を有すると識別された。Ｎ＝６８個のサンプルが、分析された。子宮内膜症であると考えられた組織の外科手術査定は、７３％の陽性予測値（ＰＰＶ）と、９３％の陰性予測値（ＮＰＶ）とを認めた。同一サンプル上において、ＴＰＬは、ヘモジデリンが存在するサンプルの８１％において、１００％のＰＰＶと、１００％のＮＰＶとを認めている。
【００４３】
ＯＣＴは、腺が存在するサンプルの３３％において、１００％のＰＰＶと、９４％のＮＰＶとを認めた。ＯＣＴによって見られた腺およびＴＰＬによって見られたヘモジデリンの両方が、子宮内膜症を正しく診断する外科医の能力を改善している。故に、これらの撮像技法は、ＰＰＶを増加させ、より少ない健康な組織の除去を可能にし、手術手技を短縮させることによって、価値を増し得る。
【００４４】
以下の参照文献の内容は、ここで参照することによって援用される。
米国特許５，０７９，２６２
米国特許５，２１１，９３８
米国特許９，４８２，５１３
【化１】
2020521531.tif 000003
【図１】
2020521531.tif 000004
【図２】
2020521531.tif 000005
【図３】
2020521531.tif 000006
【図４】
2020521531.tif 000007
【図５】
2020521531.tif 000008
【図６】
2020521531.tif 000009
【図７】
2020521531.tif 000010
【図８】
2020521531.tif 000011
【図９】
2020521531.tif 000012
【図１０】
2020521531.tif 000013
【国際調査報告】
2020521531.tif 000014
2020521531.tif 000015